(57)【特許請求の範囲】
【請求項１】
内容物が収納される収容部と、化粧部位に触れるタッチ部とを一体にした化粧品容器であって、
その上部に凹状の溝を有し、前記収容部の内容物が排出される排出口を備え、前記収容部の上側に結合する中間部と、
前記中間部の前記凹状の溝の上に設けられ、前記中間部と該中間部の前記凹状の溝に結合するタッチ部とを互いに離隔する分散部と、を含み、
前記分散部が、放射状に突設される複数の隔壁と、該複数の隔壁の間に設けられる空間部とからなる第１の分散部材を備え、
前記第１の分散部材の隔壁には、前記空間部の間を連通させる通路部が設けられていることを特徴とする分散部付き化粧品容器。
【請求項２】
前記第１の分散部材の隔壁の外周側を取り囲むように設けられた外壁を備えることを特徴とする請求項１に記載の分散部付き化粧品容器。
【請求項３】
前記分散部が、押圧される前記タッチ部によって前記中間部の前記排出口が閉塞されないように、前記排出口の上側に一定な高さに設けられる第２の分散部材を備えることを特徴とする請求項１又は２に記載の分散部付き化粧品容器。
【請求項４】
前記第２の分散部材が、前記第１の分散部材の隔壁の一部または全部を前記排出口の方へ延設することにより形成されていることを特徴とする請求項３に記載の分散部付き化粧品容器。
【請求項５】
前記中間部の前記凹状の溝の底が、傾斜面となっていることを特徴とする請求項１に記載の分散部付き化粧品容器。
【請求項６】
前記タッチ部の孔が、前記分散部の前記第１の分散部材に設けられた前記空間部または前記通路部と連通するように配設されることを特徴とする請求項１に記載の分散部付き化粧品容器。
【請求項７】
前記タッチ部の外面を覆うカバー部を、更に含むことを特徴とする請求項１に記載の分散部付き化粧品容器。
【請求項８】
前記収容部または前記中間部と締結され、前記タッチ部及び前記カバー部を覆う蓋部を、更に含むことを特徴とする請求項７に記載の分散部付き化粧品容器。
【発明の詳細な説明】
【技術分野】
【０００１】
本発明は分散部付き化粧品容器に関し、より詳しくは、収容部、中間部、タッチ部、カバー部及び蓋部が順次積層して設けられ、該中間部と該タッチ部との間に分散部が設けられて、該中間部と該タッチ部とを所定の間隔で離隔した、収容部とタッチ部とを一体にした、化粧品容器に関する。
【背景技術】
【０００２】
一般に、パウダを用いて化粧をするとき、パウダ容器の本体に収容されているパウダを、別途備えられているパフに付けて化粧をするようになっている。
【０００３】
上記の通りに、収容部に備えられているパフを用いて化粧をしたり、または化粧を直したりする時、パウダの収容される容器本体を底に下がっておいた状態で、一方の手では鏡を持って、他方の手ではパフを捕らえて、該本体に含まれているパウダをパフに付けて顔化粧をする。そのため、パウダを用いる化粧が非常に煩わしく、パウダの付けられているパフを、底に置かれている容器本体から顔までに移す過程で、パフに付けられているパウダが飛散すると共に、容器本体を底に置いて用いるので、該容器本体に予期しない外力が加えられて該容器本体が倒れて、その中のパウダを注いでしまえなくなるという不都合がある。そのため、内容物が収納される収容部と化粧部位に触れるタッチ部とを一体にした化粧品容器が開発されている。
【発明の開示】
【発明が解決しようとする課題】
【０００４】
しかしながら、収容部とタッチ部とを一体にした従来の化粧品容器においては、該収容部からパウダの出る排出口が該タッチ部により閉塞されて、タッチ部全体に渡ってパウダが一様に分布しなくなるという不都合があった。
【０００５】
従って、本発明は上記問題を解決するために案出されたもので、収容部に収容される内容物がタッチ部に一様に分布する化粧品容器を提供することに、その目的がある。
【課題を解決するための手段】
【０００６】
本発明の好適な実施の形態による分散部付き化粧品容器は、内容物が収納される収容部と化粧部位に触れるタッチ部とを一体にした化粧品容器であって、その上部が凹状の溝を有し、該収容部の内容物が排出される排出口が設けられ、該収容部の上側に結合する中間部と、該中間部の凹状の溝の上に設けられ、該中間部と該中間部の凹状の溝に結合するタッチ部とを互いに離隔する分散部とを含むことを特徴とする。
【０００７】
本発明によれば、該分散部が、放射状に突設される複数の隔壁と、該隔壁の夫々の間に設けられる空間部とからなる第１の分散部材を備える。
【０００８】
本発明によれば、該第１の分散部材の隔壁には、該空間部の間を連通する一つまたは複数の通路部が配置されてもよい。
【０００９】
本発明によれば、該第１の分散部材は、該隔壁の外周側を取り囲むように設けられた外壁を備えてもよい。
【００１０】
本発明によれば、該分散部は、押圧されるタッチ部によって該中間部の排出口が閉塞されないように、該排出口の上側に一定な高さに設けられる第２の分散部材を備えてもよい。
【００１１】
本発明によれば、該第２の分散部材は、該第１の分散部材の隔壁の一部または全部を該排出口の方へ延設することにより形成されてもよい。
【００１２】
本発明によれば、該中間部の凹状の溝の底は、傾斜面となっていてもよい。
【００１３】
本発明によれば、該タッチ部の孔は、該分散部の該第１の分散部材に設けられた空間部または通路部と連通するように配設されることが望ましい。
【発明の効果】
【００１４】
前述のように、本発明によれば、第１の分散部材を有する分散部が設けられ、収容部の内容物が該分散部によりタッチ部へ一様に分布するという効果を奏することができる。
【００１５】
また、本発明によれば、第２の分散部材により、タッチ部が中間部の排出口の方へ押圧される時、該中間部の排出口が閉塞されることを防止するという効果を奏することができる。
【００１６】
また、本発明によれば、隔壁及び空間部の外周側に外壁が設けられ、内容物が中間部の外へ流出することを防止するという効果を奏することができる。
【発明を実施するための最良の形態】
【００１７】
以下、添付の図面を参照しながら、本発明の好適な実施形態例を詳記する。
【００１８】
図１は、本発明による分散部付き化粧品容器の分解斜視図である。同図の如く、本発明の化粧品容器は収容部１００、中間部２００、分散部３００及びタッチ部４００を備え、そしてカバー部５００及び蓋部６００を更に備える。
【００１９】
本発明による収容部１００は、その内部に空間が設けられ、一側が開放されている形状になされ、パウダなどの内容物を収容する。
【００２０】
本発明による中間部２００は、その上部が凹状の溝で構成されており、内部を貫通して収容部１００の内容物が排出される排出口２１０を備え、収容部１００の上側部分において収容部１００と結合する。
【００２１】
中間部２００の下側部分と収容部１００の上側部分とは螺合、嵌合、一体製作など、多様な方法にて締結することができる。
【００２２】
中間部２００の上部は、所定の深さを有する凹状の溝で構成されており、該凹状の溝内にタッチ部４００が載設される。この場合、凹状の溝の底面には分散部３００が配置され、それによって、中間部２００の凹状の溝の底面とタッチ部４００とは直接密着しないようになる。
【００２３】
中間部２００の凹状の溝の底は水平面となっていてもよく、傾斜面となっていてもよい。化粧品容器を正しく立て置くことを基準として、排出口２１０が下に置かれる上広下狭形態の傾斜面でもよく、排出口２１０が上に置かれる下広上狭形態の傾斜面でもよい。
【００２４】
ところが、使用者が本発明による化粧品容器を用いる場合、通常、化粧品容器を裏返した上で化粧部位にタッチさせる。そのため、化粧品容器を正しく立て置くことを基準として、排出口２１０が下に置かれる上広下狭形態の傾斜面であることが内容物の排出の観点からより望ましい。
【００２５】
本発明による分散部３００は、第１の分散部材３１０と第２の分散部材３２０とからなる。第１の分散部材３１０は隔壁３１１、空間部３１２、通路部３１３及び外壁３１４から成る。
【００２６】
本発明による第１の分散部材３１０は、中間部２００の上部に設けられた凹状の溝の底面において大略放射状に突設されているため、分散部３００は中間部２００の凹状の溝の底面とタッチ部４００の下面との間を分散部３００の高さだけ離隔させるようになる。
【００２７】
本発明において「放射状」とは、図１、図３及び図４に一実施例として示すように、直線状の隔壁３１１が放射状に配設されるものだけでなく、収容部１００の内容物を一様に移送させるために、多様な形状の隔壁３１１が大略放射状に配設されることも意味する。
【００２８】
第１の分散部材３１０は別途に製造して配置されてもよく、中間部２００の凹状の溝において分散部３００の空間部３１２、通路部３１３などを掘り出して設けてもよい。また、中間部２００と分散部３００とが一体に成形加工されてもよい。
【００２９】
第１の分散部材３１０の隔壁３１１は放射状に突設されるので、排出口２１０とタッチ部４００とを離隔する働きを果たすことにより、収容部１００に収容されている内容物が中間部２００の排出口２１０を通ってタッチ部４００へ移送される時、隔壁３１１の高さによってタッチ部４００の下面と中間部２００の凹状の溝の底面とが直接密着しなくて、パウダなどの内容物は中間部２００の凹状の溝に一様に分布することができ、それによって、内容物はタッチ部４００の下面にも一様に供給されることができる。
【００３０】
隔壁３１１は放射状に複数突設されているため、複数の隔壁３１１の間には空間部３１２が複数設けられ、それによって、隔壁３１１を通じて一様に分布した内容物が複数の空間部３１２に一様に分布して収容されることができる。
【００３１】
また、各隔壁３１１には各空間部３１２の収容されている内容物が連通できるように、一つまたは複数の通路部３１３が設けられる。
【００３２】
このため、収容部１００に収容されている内容物が中間部２００の排出口２１０を通って排出された後、隔壁３１１の高さによって該内容物が横方に分散して、そして隔壁３１１によって該内容物が空間部３１２へ移送される。
【００３３】
従って、空間部３１２に内容物が収容され、各空間部３１２を連通する各通路部３１３によって内容物が再分散し、最後に分散部３００の隔壁３１１、空間部３１２及び通路部３１３によって、収容部１００に収容されている内容物がタッチ部４００へ一様に分布されることができる。
【００３４】
外壁３１４は、隔壁３１１及び空間部３１２の外周側に設けられ、中間部２００の排出口２１０を通って排出された内容物が中間部２００とタッチ部４００との間の隙間を通じて外部へ流出することを防止する。そのため、その隙間を通じて外部へ流出する恐れがある内容物は、隔壁３１１によってタッチ部４００の孔４１０へ排出されるように案内される。
【００３５】
本発明による第２の分散部材３２０は、中間部２００の排出口２１０の上側において、第１の分散部材３１０より高いまたは低い高さを有するように設けられてもよいが、第１の分散部材３１０と第２の分散部材３２０との高さが互いに同じであるのが一般的な実施例になり得る。
【００３６】
また、第２の分散部材３２０は、タッチ部４００が中間部２００の凹状の溝に嵌合などの方式にて結合時、または使用者のタッチによりタッチ部４００が押圧時、タッチ部４００の下面によって中間部２００の排出口２１０が閉塞されないような機能をする。
【００３７】
また、第２の分散部材３２０は、第１の分散部材３１０の隔壁３１１の一部または全部を排出口２１０の方に延設することにより形成してもよい。
【００３８】
詳しくは、隔壁３１１の全部または一部が一定な長さに延設されてもよく、延設された隔壁３１１が連結して、図５のように様々な形状をなすことも可能である。
【００３９】
第２の分散部材３２０は、第１の分散部材３１０とは別途に設けられ得ることは勿論である。
【００４０】
本発明によるタッチ部４００は、分散部３００の上側において、中間部２００の凹状の溝に嵌合などにて結合する。タッチ部４００はスポンジ、パフなどの弾性を有する素材からなり、使用者にとって軟らかな触感を感じさせながら化粧をするようにする。
【００４１】
また、タッチ部４００の孔４１０は、分散部３００の第１の分散部材３１０に設けられた空間部３１２及び／又は通路部３１３と連通するように配設され、これは収容部１００に収容されている内容物が中間部２００の排出口２１０を通じて排出され、分散部３００で一様に分布している内容物を複数の孔４１０を通じて外部へ排出することを示す。
【００４２】
本発明による化粧品容器は、タッチ部４００の汚染を防止するために、タッチ部４００の外面を覆うカバー部５００をさらに備えている。
【００４３】
カバー部５００は交換可能で、タッチ部４００または中間部２００と係合されている。カバー部５００の外周縁に該当する個所に凹凸などの係止部を設けて、カバー部５００を係合固定することが望ましい。
【００４４】
カバー部５００は、タッチ部４００の孔４１０を通じて移送されてきた内容物を外部へ排出することができる素材からなり、一般に微細網紗体を用いてもよい。
【００４５】
本発明による化粧品容器には、収容部１００または中間部２００と係合し、タッチ部４００及びカバー部５００を保護する蓋部６００が設けられる。
【００４６】
蓋部６００と収容部１００または中間部２００とは螺合、嵌合などの様々な方法にて係合させることができる。
【００４７】
図２は、本発明による分散部付き化粧品容器の正断面図であって、内容物を受容している収容部１００が設けられ、該内容物は収容部１００の上側に設けられた中間部２００へ移送され、中間部２００に設けられた排出口２１０を通って分散部３００へ移送され、中間部２００の排出口２１０を通って移送された内容物は分散部３００において一様に分布するようになり、分散部３００において一様に分布した内容物は分散部３００の空間部３１２及び／又は通路部３１３と連通する孔４１０の設けられているタッチ部４００によって、外部へ排出されるようになる。
【００４８】
この時、分散部３００に設けられた外壁３１４によって、タッチ部４００に設けられた複数の孔４１０のみを通じて該内容物が排出され、最後にタッチ部４００から排出された内容物はカバー部５００を通じて化粧部位へ排出されるようになる。
【００４９】
図３は、本発明による分散部の第１の分散部材を示す斜視図であって、放射状に設けられた複数の隔壁３１１と、複数の隔壁３１１により区切られた複数の空間部３１２と、該複数の空間部３１２を連通させる通路部３１３とからなる。
【００５０】
中間部２００の排出口２１０を通って移送されて来た内容物は、複数の隔壁３１１により区切られた複数の空間部３１２へ分散し、該複数の空間部３１２を連通させる通路部３１３によって再分散して、最後に内容物が分散部３００へ一様に分布するようになる。
【００５１】
通路部３１３は、複数の隔壁３１１のそれぞれに一つ以上設けられ、複数の空間部３１２の間に内容物を連通させることができる。
【００５２】
また、複数の隔壁３１１及び複数の空間部３１２の外周側には外壁３１４が設けられ、内容物が中間部２００の外部へ流出することを防止し、最後に空間部３１２と対応するタッチ部４００の孔４１０に内容物が流入可能なように案内することができる。
【００５３】
図４は、本発明による分散部の第２の分散部材を示す平面図であって、中間部２００の排出口２１０の上側に一定な高さに設けられ、タッチ部４００の中間部２００への挿入時、タッチ部４００の下面によって中間部２００の排出口２１０が閉塞されないような第２の分散部材３２０を示している。
【００５４】
第２の分散部材３２０は、第１の分散部材３１０の隔壁３１１の一部または全部を排出口２１０の方に延設させることにより形成され、タッチ部４００が使用者のタッチなどによって中間部２００に押圧される時、中間部２００の排出口２１０と一定な間隔を維持させることによって、中間部２００の排出口２１０を介した収容部１００の内容物の移送が可能になる。
【００５５】
また、第２の分散部材３２０は第１の分散部材３１０とは独立して設けられてもよく、第１の分散部材３１０と一体に設けられてもよい。
【００５６】
図５は、本発明による第２の分散部材の幾つかの実施例を示す平面図であって、第２の分散部材３２０が第１の分散部材３１０の一部を延設させたり、全体を延設させたり、独立させたりして設けられていることを示しており、第２の分散部材３２０は一字形、十字形、三角形、多角形に、または第１の分散部材３１０の一部を延設させてもよいことを示す。
【００５７】
上記において、本発明の好適な実施の形態について説明したが、本発明の請求範囲を逸脱することなく、当業者は種々の改変をなし得る。
【図面の簡単な説明】
【００５８】
【図１】本発明による分散部付き化粧品容器の分解斜視図である。
【図２】本発明による分散部付き化粧品容器の正断面図である。
【図３】本発明による分散部の第１の分散部材を示す斜視図である。
【図４】本発明による分散部の第２の分散部材を示す平面図である。
【図５】本発明による第２の分散部材のいくつかの実施例を示した平面図である。
【符号の説明】
【００５９】
１００  収容部
２００  中間部
２１０  排出口
３００  分散部
３１０  第１の分散部材
３１１  隔壁
３１２  空間部
３１３  通路部
３１４  外壁
３２０  第２の分散部材
４００  タッチ部
４１０  孔
５００  カバー部
６００  蓋部
【図１】
0004597173.tif 000002
【図２】
0004597173.tif 000003
【図３】
0004597173.tif 000004
【図４】
0004597173.tif 000005
【図５】
0004597173.tif 000006